(57)【要約】【課題】映像が水平に表示されるように設置することを容易に行うことができる投写型映像表示装置を提供する。【解決手段】プロジェクタ１は、映像を表示するための光を投射する投射レンズ３と、投射レンズ３を収納する筐体２と、筐体２から突出するとともに筐体２を支持する２つの調整脚５とを備えており、調整脚５を回転させることにより、調整脚５が筐体２から突出する長さＬが調整可能である。調整脚５の各々には、映像が水平に表示されるように調整脚５が筐体２から突出する各々の長さＬを対応させるための目印６０が設けられている。【選択図】図５
2011002504.tif 000002
【特許請求の範囲】
【請求項１】
映像を表示するための光を投射する光学部品と、この光学部品を収納する筐体と、この筐体から突出するとともにこの筐体を支持する複数の調整脚とを備え、前記調整脚を回転させることにより、前記調整脚が前記筐体から突出する長さを調整可能とした投写型映像表示装置であって、
前記調整脚の各々には、前記映像が水平に表示されるように前記調整脚が前記筐体から突出する各々の長さを対応させるための目印が設けられていることを特徴とする投写型映像表示装置。
【請求項２】
複数の前記調整脚が前記筐体から突出する長さがそれぞれ同じであるとき、前記調整脚の各々に設けられた前記目印が同じ方向を向くことを特徴とする請求項１に記載の投写型映像表示装置。
【請求項３】
前記調整脚は、おねじ部が設けられた回転軸と、この回転軸に比べて径が大きい大径部とを備え、
前記目印は、前記大径部の一部分であって、径方向を向く外周面に設けられていることを特徴とする請求項１または請求項２に記載の投写型映像表示装置。
【請求項４】
前記映像を表示するための前記光は前記筐体から前方に投射され、前記筐体の前側に前記調整脚が２つ設けられていることを特徴とする請求項１乃至請求項３のいずれか一項に記載の投写型映像表示装置。
【請求項５】
前記目印は、径方向に突出させて形成された１つの突起であることを特徴とする請求項１乃至請求項４のいずれか一項に記載の投写型映像表示装置。
【請求項６】
前記目印は、径方向に窪ませて形成された１つの溝であることを特徴とする請求項１乃至請求項４のいずれか一項に記載の投写型映像表示装置。
【請求項７】
前記目印は、この目印の周囲の色と異なる色により構成されていることを特徴とする請求項１乃至請求項６のいずれか一項に記載の投写型映像表示装置。
【発明の詳細な説明】
【技術分野】
【０００１】
本願発明は、光学部品と、光学部品を収納する筐体と、筐体を支持する複数の調整脚とを備え、調整脚を回転させることにより、調整脚が筐体から突出する長さを調整可能とした投写型映像表示装置に関するものである。
【背景技術】
【０００２】
光を投射して映像を写す投写型映像表示装置として、光学部品を収納する筐体から突出するとともに、この筐体を支持する複数の調整脚を備えたプロジェクタが知られており、調整脚を回転させることにより、調整脚が筐体から突出する長さを調整することができる（例えば、特許文献１参照）。
【０００３】
具体的には、図８に示すように、従来のプロジェクタ１０１は、少なくとも投射レンズ１０３を収納する筐体１０２と、筐体１０２から突出するとともに筐体１０２を支持する少なくとも２つの調整脚１０５を備えている。調整脚１０５の各々を回転させることにより、調整脚１０５が筐体１０２から突出する長さＬ（図１０参照）を、それぞれ独立して調整することができる。
【０００４】
複数の調整脚１０５が筐体１０２から突出する各々の長さＬを独立して調整することができれば、プロジェクタ１０１が水平でない傾いた面に設置された場合であっても、調整脚１０５が筐体１０２から突出する長さＬを調整して、図９の実線の四角形で示すように、映像が水平に表示されるようにすることが可能である。
【０００５】
なお、「映像が水平に表示される」とは、映像の外形をなす辺が、水平方向に対して平行な状態で映像が表示されることをいう。具体的には、図９に示すように、一般的に平面上に投写して表示される映像は、アスペクト比が４：３や１６：９等の長方形状であって、映像の外形は４つの辺Ｅ１，Ｅ２，Ｅ３，Ｅ４からなる。従って、図９で示す映像において「映像が水平に表示される」とは、長方形状の映像の外形をなす平行な１組の２つの辺Ｅ１，Ｅ３が、水平方向に対して平行な状態で映像が表示されることをいう。
【先行技術文献】
【特許文献】
【０００６】
【特許文献１】特開２００３−２１８６６号公報
【発明の概要】
【発明が解決しようとする課題】
【０００７】
ところで、プロジェクタ１０１が設置される設置面が水平面である場合には、２つの調整脚１０５が筐体１０２から突出する長さＬがそれぞれ同じであれば、映像が水平に表示される。しかしながら、複数の調整脚１０５が筐体１０２から突出する長さＬの各々を独立して調整することができるため、映像が水平に表示されるようにプロジェクタ１０１を設置することが煩雑となる場合があった。
【０００８】
具体的には、プロジェクタ１０１が水平面に設置されるときに映像が水平に表示されるためには、調整脚１０５が筐体１０２から突出する各々の長さＬを同じにする必要がある。しかしながら、図１０に示すように、一方の調整脚１０５が筐体１０２から突出する長さＬ１と、他方の調整脚１０５が筐体１０２から突出する長さＬ２との差異が僅かであれば、調整脚１０５が筐体１０２から突出する各々の長さＬの違いを目視により認識することが難しい。調整脚１０５には、螺旋状の溝が形成されていたり、調整脚１０５が回転する方向（いわゆる周方向）に等間隔で突起または溝（いずれも不図示）が形成されていたりする場合もあるが、いずれにせよ、これらの突起や溝を参照しても調整脚１０５が筐体１０２から突出する各々の長さＬの差異を認識することは難しい。その結果、調整脚１０５が筐体１０２から突出する各々の長さＬが異なる状態で、プロジェクタ１０１が水平面に設置されると、図９の一点鎖線の四角形で示すように、水平方向に対して傾いた映像が表示されることになる。
【０００９】
そこで、映像が水平に表示されるようにプロジェクタ１０１を設置する者は、平面上に実際に表示された映像を参照して、その映像の傾き度合いに応じて、調整脚１０５が筐体１０２から突出する長さＬを調整することができる。しかしながら、調整脚１０５が筐体１０２から突出する長さＬを微調整するために映像を随時参照する必要があるため、映像が水平に表示されるようにプロジェクタ１０１を設置することが煩雑であるという問題があった。
【００１０】
本発明は、こうした実情に鑑みてなされたものであり、その目的は、映像が水平に表示されるように設置することを容易に行うことができる投写型映像表示装置を提供することにある。
【課題を解決するための手段】
【００１１】
請求項１に記載の発明は、映像を表示するための光を投射する光学部品と、光学部品を収納する筐体と、筐体から突出するとともに筐体を支持する複数の調整脚とを備え、調整脚を回転させることにより、調整脚が筐体から突出する長さを調整可能とした投写型映像表示装置であって、調整脚の各々には、映像が水平に表示されるように調整脚が筐体から突出する各々の長さを対応させるための目印が設けられていることを特徴とする。
【００１２】
同構成によれば、複数の調整脚の各々には、映像が水平に表示されるように調整脚が筐体から突出する各々の長さを対応させるための目印が設けられている。このため、投写型映像表示装置を設置しようとする者は、調整脚の各々に設けられた目印を参照することにより、映像が水平に表示されるように調整脚が筐体から突出する長さを調整することができる。従って、実際に表示された映像を参照することなく、映像が水平に表示されるように調整脚が筐体から突出する長さを調整することが可能となるため、映像が水平に表示されるように投写型映像表示装置を設置することを容易に行うことができる。
【００１３】
請求項２に記載の発明は、請求項１に記載の投写型映像表示装置であって、複数の調整脚が筐体から突出する長さがそれぞれ同じであるとき、調整脚の各々に設けられた目印が同じ方向を向くことを特徴とする。
【００１４】
同構成によれば、複数の調整脚が筐体から突出する長さがそれぞれ同じであるとき、調整脚の各々に設けられた目印が同じ方向を向く。このため、調整脚を回転させる者は、調整脚の各々に設けられた目印の向きを参照して、複数の調整脚が筐体から突出する長さがそれぞれ同じとなるように、調整脚が筐体から突出する長さを調整することができる。
【００１５】
請求項３に記載の発明は、請求項１または請求項２に記載の投写型映像表示装置であって、調整脚は、おねじ部が設けられた回転軸と、回転軸に比べて径が大きい大径部とを備え、目印は、大径部の一部分であって、径方向を向く外周面に設けられていることを特徴とする。なお、「径方向」とは、調整脚の回転中心となる軸に垂直な方向である。
【００１６】
同構成によれば、調整脚の各々に設けられた目印は、回転軸に比べて径が大きい大径部の一部分であって、径方向を向く外周面に設けられている。このため、回転軸に目印が設けられている場合に比べて、目印が向く方向を判り易くすることができる。
【００１７】
請求項４に記載の発明は、請求項１乃至請求項３のいずれか一項に記載の投写型映像表示装置であって、映像を表示するための光は筐体から前方に投射され、筐体の前側に調整脚が２つ設けられていることを特徴とする。
【００１８】
同構成によれば、筐体の前側（即ち、映像を表示するための光が投射される側）に上記調整脚が２つ設けられているため、筐体の後側を固定して調整脚が筐体から突出する長さを調整することにより、水平面と光を投射する方向とのなす角度である仰角を調節することができる。
【００１９】
請求項５に記載の発明は、請求項１乃至請求項４のいずれか一項に記載の投写型映像表示装置であって、目印は、径方向に突出させて形成された１つの突起であることを特徴とする。
【００２０】
請求項６に記載の発明は、請求項１乃至請求項４のいずれか一項に記載の投写型映像表示装置であって、目印は、径方向に窪ませて形成された１つの溝であることを特徴とする。
【００２１】
同構成によれば、調整脚の各々に設けられた目印は、１つの突起または溝であるため、投写型映像表示装置を設置しようとする者は、調整脚を回転させるときに、目印の位置を触覚により知ることができる。
【００２２】
請求項７に記載の発明は、請求項１乃至請求項６のいずれか一項に記載の投写型映像表示装置であって、目印は、目印の周囲の色と異なる色により構成されていることを特徴とする。
【００２３】
同構成によれば、調整脚の各々に設けられた目印は、目印の周囲の色と異なる色により構成されているため、色彩により目印を目立たせることができる。
【発明の効果】
【００２４】
本発明によれば、映像が水平に表示されるように投写型映像表示装置を設置することを容易に行うことができる。
【図面の簡単な説明】
【００２５】
【図１】本発明の実施形態に係るプロジェクタの外観を示す斜視図。
【図２】同実施形態に係るプロジェクタの設置態様を説明するための模式図。
【図３】同実施形態に係る調整脚及び軸支部を示す模式図。
【図４】同実施形態に係る調整脚の斜視図。
【図５】同実施形態に係るプロジェクタを前方から見た場合の正面図。
【図６】本発明の変形例に係る調整脚の斜視図。
【図７】本発明の他の変形例に係る調整脚の斜視図。
【図８】従来のプロジェクタの外観を示す斜視図。
【図９】光が投射されて表示される映像を説明するための説明図。
【図１０】従来のプロジェクタを前方から見た場合の正面図。
【発明を実施するための形態】
【００２６】
以下、本発明の実施形態について図面を参照しながら説明する。
本実施形態に係るプロジェクタ１は、光を投射することにより映像を投写して表示する投写型映像表示装置である。以下、映像を表示するためにプロジェクタ１から投射される映像の光を映像光という。
【００２７】
図１に示すように、プロジェクタ１は、映像光を投射するための光学部品等を収納する筐体２と、筐体２の前側の端部に設けられた投射レンズ３と、筐体２の横方向における両端に設けられた軸支部４と、筐体２の外方である下方へ突出する２つの調整脚５とを備えている。
【００２８】
なお、横方向とは、プロジェクタ１が水平面に設置されたときに、水平方向になる方向である。また、前後方向は、投射レンズ３により投射される光の方向（即ち、光軸の方向）を含み、かつ、横方向に垂直な方向である。本実施形態においては、映像光が筐体２から投射される方向が、前後方向における前方である。
【００２９】
筐体２は、調整脚５により支持されるケースである。本実施形態においては、筐体２の前側が、２つの調整脚５により筐体２が支持されており、筐体２の後側は、設置面上に直接設けられる構成となっている。筐体２の前側には、横方向において所定間隔をあけて、調整脚５を支持するための２つの軸支部４が設けられている。
【００３０】
図２に示すように、投射レンズ３は、筐体２の前側の端部から筐体２の前方へ向けて映像光を投射する光学部品である。投射レンズ３により映像光が投射されることによって、スクリーンや壁等の平面上に映像が表示される。
【００３１】
図３に示すように、軸支部４は、調整脚５を支持するための部材であり、軸支部４には、調整脚５の一部が挿通される挿通孔４１が形成されている。挿通孔４１には、螺旋状の溝が形成されためねじ部４１ａが設けられている。めねじ部４１ａに調整脚５の一部を螺合させることにより、調整脚５が軸支部４に取り付けられている。なお、軸支部４は、筐体２とは別の部材として構成されていても、筐体２の一部として設けられていてもよい。
【００３２】
調整脚５は、筐体２を支持する支持脚であって、プロジェクタ１が設置される設置面へ向けて筐体２から突出するように延びている。調整脚５は、それぞれ、プロジェクタ１が設置される設置面に接する接地部５１と、接地部５１に接続されて設けられた回転軸５２と、筐体２の外方への移動を規制するための移動規制部５３とを備えている。
【００３３】
略円柱状の接地部５１は、球状または断面が放物線状となるように丸みを帯びた形状を成す先端５１ａと、径方向を向く外周面５１ｂとを有している。接地部５１の径Ｒ１は、回転軸５２の径Ｒ２よりも大きい。なお、径方向とは、回転軸５２の回転中心（即ち、調整脚５の回転中心）となる軸に垂直な方向のことである。
【００３４】
回転軸５２は、挿通孔４１に挿通される調整脚５の一部であって、回転軸５２には、螺旋状の溝が形成されたおねじ部５２ａが設けられている。このおねじ部５２ａが軸支部４のめねじ部４１ａに螺合されており、回転軸５２の回転に伴いめねじ部４１ａとおねじ部５２ａとの螺合量が変化する。従って、回転軸５２を回転させて調整脚５を回転させることにより、調整脚５が軸方向に移動するため、調整脚５が筐体２から突出する長さＬを調整することができる。なお、軸方向とは、回転軸５２の回転中心となる軸に平行な方向のことである。
【００３５】
移動規制部５３は、軸支部４に対して接地部５１の反対側において、回転軸５２に接続されて設けられている。移動規制部５３の径Ｒ３は、回転軸５２の径Ｒ２よりも大きい。従って、移動規制部５３と軸支部４とが接触することにより、回転軸５２の回転が阻まれて筐体２の外方への調整脚５の移動が規制される。このような構成により、軸支部４から調整脚５が抜けることを妨げている。
【００３６】
調整脚５の各々を回転させることにより、調整脚５が筐体２から突出する長さＬを、それぞれ独立して調整することができる。従って、プロジェクタ１が水平でない傾いた面に設置された場合であっても、調整脚５が筐体２から突出する長さＬを調整して、映像が水平に表示されるようにすることが可能である。
【００３７】
２つの調整脚５は、それらが筐体２から突出する各々の長さＬが同じであるときに、映像が水平に表示される位置に設けられている。即ち、投射レンズ３により投射される光の中心線（即ち、光軸）に垂直な方向である横方向において、２つの調整脚５が所定間隔をあけて設けられている。
【００３８】
筐体２の前側（即ち、映像光が投射される側）に設けられた調整脚５を回転させることにより、水平面と投射レンズ３により投射する光の方向（即ち、光軸に平行な方向）とのなす角度である仰角θ（図１及び２参照）を調節することができる。具体的には、２つの調整脚５が筐体２から突出する各々の長さＬを長くすることにより、仰角θを大きくすることができ、また、２つの調整脚５が筐体２から突出する各々の長さＬを短くすることにより、仰角θを小さくすることができる。
【００３９】
ここで、本実施形態においては、図４等に示すように、調整脚５の各々に、映像が水平に表示されるように調整脚５が筐体２から突出する各々の長さＬを対応させるための目印６０が設けられていることに特徴がある。
【００４０】
より具体的には、目印６０は、調整脚５が筐体２から突出する各々の長さＬを映像が水平に表示されるときの長さに揃えるための目印であり、目印６０は、接地部５１の一部分であって、外周面５１ｂに設けられている。調整脚５に設けられた目印６０は、調整脚５の回転とともに、調整脚５の回転中心となる軸を回転中心として回転する。従って、調整脚５が筐体２から突出する長さＬを調整する際の調整脚５の回転に伴い、調整脚５の回転中心から目印６０が向く方向は変化する。２つの調整脚５が筐体２から突出する長さＬがそれぞれ同じであるとき、調整脚５の各々に設けられた目印６０が同じ方向を向くように構成されている。
【００４１】
即ち、２つの軸支部４の各々において、めねじ部４１ａの螺旋状の溝の構成は同一となっており、また、２つの調整脚５の各々において、おねじ部５２ａの螺旋状の溝の構成は同一となっている。そして、図５に示すように、調整脚５の各々に設けられた目印６０は、２つの調整脚５が筐体２から突出する長さＬがそれぞれ同じであるとき、同じ方向を向く位置に設けられている。即ち、一方の調整脚５が筐体２から突出する長さＬ１と、他方の調整脚５が筐体２から突出する長さＬ２との差異が無ければ、径方向から見て、目印６０が設けられた調整脚５の各々の外観が同じとなるように構成されている。図５においては目印６０が前方を向いた状態を示しているが、２つの軸支部４及び調整脚５の構成はそれぞれ同じであるため、２つの調整脚５が筐体２から突出する長さＬがそれぞれ同じである限り、目印６０は、その目印６０が設けられた調整脚５の回転中心から同じ方向を向くことになる。
【００４２】
また、本実施形態においては、目印６０は、外周面５１ｂを径方向に突出させて形成された１つの突起６１であり、突起６１は、外周面５１ｂにおいて軸方向に延びて設けられている。この突起６１を除いては、接地部５１の外周面５１ｂにおいて、径方向に突出したもの及び径方向に窪んだものは設けられていない。
【００４３】
次に、水平面にプロジェクタ１を設置する際に、映像が水平に表示されるように調整脚５が筐体２から突出する長さＬを調整する手順を説明する。
まず、プロジェクタ１を設置しようとする者は、調整脚５が筐体２から突出する各々の長さＬを調整することにより、仰角θを調節する。この際、調整脚５が筐体２から突出する各々の長さＬは、その長さＬを目視により認識して、略同じとなるように調整する。
【００４４】
次いで、調整脚５の少なくとも一方を回転させて、調整脚５が筐体２から突出する長さＬを微調整する。即ち、調整脚５に設けられた目印６０を参照して、目印６０が同じ方向を向くように調整脚５を回転させることにより、調整脚５が筐体２から突出する各々の長さＬを同じとなるように調整して、映像が水平に表示されるように調整脚５が筐体２から突出する各々の長さＬを揃える。このようにして調整脚５が筐体２から突出する各々の長さＬを揃えたプロジェクタ１が水平面に設置されることにより、図９の実線の四角形で示すように、プロジェクタ１により投写される映像が水平に表示される。
【００４５】
本実施形態によれば、以下の作用効果を得ることができる。
（１）調整脚５の各々には、映像が水平に表示されるように調整脚５が筐体２から突出する各々の長さを対応させるための目印６０が設けられている。このため、プロジェクタ１を設置しようとする者は、調整脚５の各々に設けられた目印６０を参照することにより、映像が水平に表示されるように調整脚５が筐体２から突出する長さＬを調整することができる。従って、実際に表示された映像を参照することなく、映像が水平に表示されるように調整脚５が筐体２から突出する長さＬを調整することが可能となるため、映像が水平に表示されるようにプロジェクタ１を設置することを容易に行うことができる。
【００４６】
（２）２つの調整脚５が筐体２から突出する長さＬがそれぞれ同じであるとき、調整脚５の各々に設けられた目印６０が同じ方向を向く。このため、調整脚５を回転させる者は、調整脚５の各々に設けられた目印６０の向きを参照して、複数の調整脚５が筐体２から突出する長さＬがそれぞれ同じとなるように、調整脚５が筐体２から突出する長さＬを調整することができる。
【００４７】
（３）調整脚５は、おねじ部５２ａが設けられた回転軸５２と、回転軸５２に比べて径が大きい大径部としての接地部５１とを備え、目印６０は、接地部５１の一部分であって、径方向を向く外周面５１ｂに設けられている。このため、例えば回転軸５２に目印６０が設けられている場合に比べて、目印６０が向く方向を判り易くすることができる。
【００４８】
（４）目印６０は、径方向に突出させて形成された１つの突起６１であるため、プロジェクタ１を設置しようとする者は、調整脚５を回転させるときに、目印６０の位置を触覚により知ることができる。
【００４９】
（５）プロジェクタ１を設置しようとする者が調整脚５を回転させるときに、接地部５１に設けられた目印６０である突起６１と指先とを係合させることができ、調整脚５を容易に回転させることができる。
【００５０】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００５１】
・上記実施形態においては、目印６０は、外周面５１ｂを径方向に突出させて形成された１つの突起６１であったが、図６に示すように、目印６０は、外周面５１ｂを径方向に窪ませて形成された１つの溝６２であってもよい。
【００５２】
具体的には、図６に示す溝６２は、外周面５１ｂにおいて軸方向に延びて設けられている目印６０である。この溝６２を除いては、接地部５１の外周面５１ｂにおいて、径方向に窪んだもの及び径方向に突出したものは設けられていない。このような構成であっても、上記（４）及び（５）に準じた作用効果を得ることができる。
【００５３】
・また、突起６１や溝６２により目印６０を構成せずに、図７に示すように、着色された外周面５１ｂの一部を目印６０として構成してもよい。この場合、目印６０は、目印６０の周囲の色と異なる色により構成されており、このような構成によれば、色彩により目印６０を目立たせることができる。
【００５４】
・突起６１や溝６２等の目印６０が、その周囲の色と異なる色により構成されていてもよい。このような構成によれば、突起６１や溝６２等の目印６０を色彩により目立たせることができる。
【００５５】
・映像が水平に表示されるように調整脚５が筐体２から突出する各々の長さＬを対応させる目印となるのであれば、突起６１や溝６２等の目印６０の形状や配置等の形成態様を適宜変更してもよい。
【００５６】
・映像が水平に表示されるように調整脚５が筐体２から突出する各々の長さＬを対応させる目印となるのであれば、目印６０以外の突起や溝（いずれも不図示）を外周面５１ｂに設けてもよい。具体的には、例えば、突起６１の目印６０とは異なった形状の突起（不図示）を、外周面５１ｂに等間隔で設けてもよい。また、例えば、溝６２の目印６０とは異なった形状の溝（不図示）を、外周面５１ｂに等間隔で設けてもよい。
【００５７】
なお、突起６１を含んで構成されて突起６１と同じ構成の複数の突起（不図示）が、周方向において外周面５１ｂに等間隔で設けられている場合においては、突起は目印６０から除かれる。また、同様に、溝６２を含んで構成されて溝６２と同じ構成の複数の溝（不図示）が、周方向において外周面５１ｂに等間隔で設けられている場合においては、溝は目印６０から除かれる。
【００５８】
・上記実施形態においては、映像が水平に表示されるように調整脚５が筐体２から突出する各々の長さＬを揃えていたが、調整脚が筐体から突出する各々の長さが同じでないときに映像が水平に表示されるプロジェクタ（不図示）であっても、本発明を適用することができる。
【００５９】
・上記実施形態においては、調整脚５が２つ設けられているプロジェクタ１であったが、調整脚５は２つに限られず、２つ以上の調整脚を備えるプロジェクタ（不図示）であっても、本発明を適用することができる。例えば、筐体の前側に調整脚が２つ設けられ、筐体の後側に調整脚が２つ設けられることにより、プロジェクタが４つの調整脚を備えていてもよい。このようなプロジェクタを水平面に設置するときには、前側の２つの調整脚が筐体から突出する長さを揃えるとともに、後側の２つの調整脚が筐体から突出する長さを揃えることにより、映像が水平に表示されるように構成することができる。
【符号の説明】
【００６０】
１…プロジェクタ（投写型映像表示装置）、２…筐体、３…投射レンズ、４…軸支部、５…支持脚、４１…挿通孔、４１ａ…めねじ部、５１…接地部（大径部）、５１ａ…先端、５１ｂ…外周面、５２…回転軸、５２ａ…おねじ部、５３…移動規制部、６０…目印、６１…突起、６２…溝。
【図１】
2011002504.tif 000003
【図２】
2011002504.tif 000004
【図３】
2011002504.tif 000005
【図４】
2011002504.tif 000006
【図５】
2011002504.tif 000007
【図６】
2011002504.tif 000008
【図７】
2011002504.tif 000009
【図８】
2011002504.tif 000010
【図９】
2011002504.tif 000011
【図１０】
2011002504.tif 000012